(57)【要約】【課題】折り畳む際に指を挟まないように、折り畳んだ状態でフレーム間に隙間が設けられている折り畳み椅子を提供する。【解決手段】折り畳み椅子は、互いに連結された第一フレーム及び第二フレームと、第一フレーム及び第二フレームに取り付けられた座面部と把手部とから構成される。第一フレーム及び第二フレームは、略コの字型のパイプ状であって、一対の脚材と、脚材間に垂設された連結材とからなる。収納状態で交差軸の軸方向から見て、第一脚材と第二脚材の間に隙間が形成されている。【選択図】図１
2014000255.tif 000002
【特許請求の範囲】
【請求項１】
一対の第一脚材と前記第一脚材間に連結された第一連結材とからなる第一フレームと、
一対の第二脚材と前記第二脚材間に連結された第二連結材とからなる第二フレームと、
前記第一連結材と前記第二連結材の間に架け渡された折り畳み可能な座面部とを備え、
前記第一脚材と前記第二脚材とはＸ字状に交差し交差軸を中心に回動可能に連結され、
前記第一連結材と前記第二連結材が離間した使用状態から、前記第一連結材と前記第二連結材が接した収納状態へ折り畳み可能な折り畳み椅子であって、
前記収納状態で前記交差軸の軸方向から見て、前記第一脚材と前記第二脚材の間に隙間が形成されていることを特徴とする、折り畳み椅子。
【請求項２】
前記交差軸の軸方向から見て、前記第一脚材が略直線状に形成され、前記第二脚材は前記交差軸を中心とする略Ｓ字状に形成されていることを特徴とする、請求項１に記載の折り畳み椅子。
【請求項３】
前記収納状態で前記交差軸に直交する方向から見て、前記第一フレームと前記第二フレームは略コの字型で近接して形成されていることを特徴とする、請求項１又は２に記載の折り畳み椅子。
【請求項４】
前記座面部は、前記第一連結材、前記第二連結材それぞれに沿って直線状に取っ手を形成する把手部を備えることを特徴とする、請求項１から３までのいずれか１項に記載の折り畳み椅子。
【発明の詳細な説明】
【技術分野】
【０００１】
本発明は、折り畳むことにより収納や運搬が可能な折り畳み椅子に関する。
【背景技術】
【０００２】
一般に、折り畳み椅子は、使用後にコンパクトに折り畳むことできるため、収納や運搬に便利である。例えば、折り畳みが容易な椅子として、２つのコの字型のフレームと座面部とからなる折りたたみ椅子が提案されている（例えば、特許文献１、２）。かかる折り畳み椅子では、コの字型のフレーム２つを側面視略Ｘ字状に開閉可能に連結することで、４本の脚が形成されている。また、２つのフレーム上縁部に座面部を張り渡すことで、座面が形成されている。
【先行技術文献】
【特許文献】
【０００３】
【特許文献１】特開２０００−０７００４０号公報
【特許文献２】特開２００４−２４３０２５号公報
【発明の概要】
【発明が解決しようとする課題】
【０００４】
ところで、東京都商品等安全対策協議会による折り畳み椅子が関連した事故事例の分析によると（平成２０年３月「折りたたみ椅子等の安全確保について」協議会報告書）、０歳から５歳では、「大人がたたもうとしたとき、子どもが隣にいて可動部に指を挟んだ。」「子どもがいじって倒れまたは倒れそうになり、指を挟んだ。」「子どもが自分でたたもうとして指を挟んだ。」といった傾向があり、２０歳以上では、「不意に折りたたまれそうになり可動部をつかんで指を挟んだ。」という傾向があることが分かった。すなわち、上記従来の折り畳み椅子のように、折り畳むとフレーム同士が重なる形態となる場合、重なったフレームの間に手あるいは指が挟まれてしまうという状況が起こりうる。
【０００５】
本発明は、以上のような従来技術の課題を解決するために提案されたものであり、その目的は、折り畳みが容易であり、かつ、折り畳む際に手あるいは指を挟むことを防止できる折り畳み椅子を提供することにある。
【課題を解決するための手段】
【０００６】
上記目的を達成するため、請求項１の発明は、一対の第一脚材と前記第一脚材間に連結された第一連結材とからなる第一フレームと、一対の第二脚材と前記第二脚材間に連結された第二連結材とからなる第二フレームと、前記第一連結材と前記第二連結材の間に架け渡された折り畳み可能な座面部とを備え、前記第一脚材と前記第二脚材とはＸ字状に交差し交差軸を中心に回動可能に連結され、前記第一連結材と前記第二連結材が離間した使用状態から、前記第一連結材と前記第二連結材が接した収納状態へ折り畳み可能な折り畳み椅子であって、前記収納状態で前記交差軸の軸方向から見て、前記第一脚材と前記第二脚材の間に隙間が形成されていることを特徴とする。
【０００７】
以上の態様では、収納状態で交差軸の軸方向（側面）から見て、第一脚材と第二脚材の間に隙間が形成されている。すなわち、収納状態で第一脚材と第二脚材とが重ならない。したがって、使用状態にある折り畳み椅子において、子どもが第一脚材と第二脚材の間の隙間に指を入れた場合、そのまま折り畳み椅子が折り畳まれたとしても、収納状態で第一脚材と第二脚材とが重ならないので、指が挟まれることがない。また、成人の場合であっても、使用者が意図しないときに、折り畳み椅子が傾く等といった重心の変化により折り畳まれてしまうことが想定されるが、そのように不意に折り畳まれたとしても、指を挟むことを防止できるため安全性が高い。
【０００８】
請求項２の発明は、請求項１記載の発明において、前記交差軸の軸方向から見て、前記第一脚材が略直線状に形成され、前記第二脚材は前記交差軸を中心とする略Ｓ字状に形成されていることを特徴とする。
【０００９】
以上の態様では、２つのフレームのうち一方のフレームの脚材（第二脚材）を２点屈曲させるのみで、収納状態において第一脚材と第二脚材との間に隙間を創出することができる。フレームの加工が容易であり、経済性に優れている。
【００１０】
請求項３の発明は、請求項１又は２に記載の発明において、前記収納状態で前記交差軸に直交する方向から見て、前記第一フレームと前記第二フレームは略コの字型で近接して形成されていることを特徴とする。
【００１１】
以上の態様では、収納状態において、折り畳み椅子を交差軸の軸方向（側面）から見ると第一脚材と第二脚材の間に隙間が設けられているが、交差軸に直交する方向（正面）から見ると第一脚材と第二脚材はほぼ重なった状態にある。すなわち、交差軸の軸方向の幅は、従来の折り畳み椅子と同様に、一対の第一脚材間距離又は一対の第二脚材間距離により決まる。交差軸の軸方向の幅が特別に広がることがないため、省スペースでの収納が可能である。
【００１２】
請求項４の発明は、請求項１から３のいずれか１項に記載の発明において、前記座面部が、前記第一連結材、前記第二連結材それぞれに沿って直線状に取っ手を形成する把手部を備えることを特徴とする。
【００１３】
以上の態様では、折り畳み椅子を持ち運ぶ際に、把手部の持ち手を利用することができる。特に、複数の折り畳み椅子を持ち運ぶのに便利である。
【発明の効果】
【００１４】
以上の本発明によれば、折り畳みが容易であり、かつ、折り畳む際に手あるいは指を挟むことを防止できる折り畳み椅子を提供することができる。
【図面の簡単な説明】
【００１５】
【図１】本発明の実施の形態に係る折り畳み椅子の使用状態における全体斜視図。
【図２】本発明の実施の形態に係る折り畳み椅子の使用状態における側面図。
【図３】本発明の実施の形態に係る折り畳み椅子の収納状態における全体斜視図。
【図４】本発明の実施の形態に係る折り畳み椅子の収納状態における側面図。
【図５】本発明の実施の形態に係る折り畳み椅子の収納状態における正面図。
【発明を実施するための形態】
【００１６】
［１．本実施形態］
［１−１．構成］
本実施形態の折り畳み椅子１００は、図１に示すように、互いに連結された第一フレーム１及び第二フレーム２と、第一フレーム１及び第二フレーム２に取り付けられた座面部３と把手部４とから構成される。
【００１７】
第一フレーム１は、図１に示すように、略コの字型のパイプ状であって、互いに略平行に配置された一対の第一脚材１１、１１’と、第一脚材１１、１１’間に垂設された第一連結材１２とからなり、第一脚材１１、１１’と第一連結材１２との角部１ａ、１ａ’はＲ状に形成されている。第一脚材１１、１１’は、図２に示すように、折り畳み椅子の側面から見て略直線状に形成されている。第一脚材１１、１１’の略中央には、後述する第二脚材と連結できるよう、第一軸穴１３、１３’が設けられている。また、第一フレーム１の先端には、脚キャップ１４、１４’が設けられている。脚キャップ１４、１４’は略半球体であり、脚キャップ１４、１４’の平面部には図示しないピンが備えられ、そのピンを第一フレーム１の先端に打ち込むことにより第一脚材１１、１１’に固定されている。
【００１８】
第二フレーム２は、図１に示すように、略コの字型のパイプ状であって、互いに略平行に配置された一対の第二脚材２１、２１’と、第二脚材２１、２１’間に垂設された第二連結材２２とからなり、第二脚材２１、２１’と第二連結材２２との角部２ａ、２ａ’はＲ状に形成されている。第二フレーム２の先端には、第一フレーム１の先端と同様に、脚キャップ２４、２４’が設けられている。
【００１９】
第二脚材２１は、図２に示すように、脚材上部２１１と脚材中間部２１２と脚材下部２１３とが連設したものである。脚材上部２１１と脚材中間部２１２は、下に凸に屈曲した上屈曲部２１ａを介して連設され、脚材中間部２１２と脚材下部２１３は、上に凸に屈曲した下屈曲部２１ｂを介して連設され、脚材上部２１１と脚材下部２１３は略平行に形成されている。第二脚材２１の略中央には、第一脚材１１と連結できるよう、第二軸穴２３が設けられている。すなわち、第二脚材１２は、折り畳み椅子の側面から見て、第二軸穴２３を中心とする略Ｓ字状に形成されている。なお、「Ｓ字状」とは、第二軸穴を中心としてその両側に２つの屈曲部を有する形状のことをいい、この屈曲部（上屈曲部２１ａ及び下屈曲部２１ｂ）は、図２に示すようにＲ状に屈曲するものも、角を形成して屈曲するものも含む。
【００２０】
なお、本実施形態では、脚材上部２１１と脚材中間部２１２、脚材下部２１３と脚材中間部２１２の成す角度は、約１２３度に形成されている。角度が鋭角になる程、上屈曲部２１ａ及び下屈曲部２１ｂへの負荷が大きくなり、折り畳み椅子の強度が低下する。また、角度が鋭角になる程、収納状態において、上屈曲部２１ａと下屈曲部２１ｂ間の水平距離が大きくなり、折り畳み椅子を複数重ねたときに嵩張ってしまう。一方、角度が鈍角になる程、収納状態において、第一脚材１１と第二脚材１２との間の隙間が小さくなり、指が挟まれる可能性が高くなる。本実施形態では、以上のような得失を考慮し、前述のとおり角度を１２３度に設定したものである。なお、第二脚材２１’は、第二脚材２１と鏡像対称であるため説明を省略する。
【００２１】
第二連結材２２は、第一連結材１２より長く形成されている。第一フレーム１と第二フレーム２とは、第一フレーム１の外側に第二フレーム２を配置し、第一脚材１１、１１’と第二脚材２１、２１’の脚材中間部２１２、２１２’とがＸ字状に交差した状態で、第一軸穴１３、１３’と第二軸穴２３、２３’に軸Ａ、Ａ’を挿入することにより、軸Ａ、Ａ’を中心として、回動可能に連結されている。図２に示すように、第二脚材２１の上端部２１Ａと第二軸穴２３の間の距離は、第一脚材１１の上端部１１Ａと第一軸穴１３間の距離と略同一であり、また、第二脚材２１の下端部２１Ｂと第二軸穴２３の間の距離は、第一脚材１１の下端部１１Ｂと第一軸穴１３間の距離と略同一であり、収納状態で、第一脚材１１の上端部１１Ａと第二脚材２１の上端部２１Ａ、及び第一脚材１１の下端部１１Ｂと第二脚材２１の下端部２１Ｂとは近接する。
【００２２】
座面部３は、布やポリエステル等の折り畳み可能なように柔軟な部材で構成され、対抗する二組の辺３１、３１’、３２、３２’を有する略方形に形成されている。座面部３の互いに対向する一組の辺３１、３１’のうち、一方の辺３１側の端部３１ａは、第一連結材１２の外側から内側へ第一連結材１２を覆うように巻きつけた後、座面部３の裏側に固定され、もう一方の辺３１’側の端部３１ａ’は、第二連結材２２の外側から内側へ第二連結材２２を覆うように巻きつけた後、座面部３の裏側に固定されることにより、座面部３は、第一連結材１２と第二連結材２２との間に架け渡されている。座面部３の固定は、縫い合わせ、粘着剤接着、熱圧着等の種々の方法により行うことができる。辺３１、３１’は、座面部３の面積をできるだけ大きく確保すべく、第一連結材１２と略同一の長さに形成されている。
【００２３】
把手部４は、座面部３に備えられている。把手部４は、また、布やポリエステル等の折り畳み可能なように柔軟な略長方形の部材で構成され、図１に示すように、接着部４１、４２と、接着部４１、４２から延設された持ち手４３とからなる。接着部４１は、座面部３の辺３２を一端として、第一連結材１２と略平行に、第一連結材１２に沿って所定の面積で座面部３に固定されており、接着部４２は、座面部３の辺３２’を一端として、第一連結材１２と略平行に、第一連結材１２に沿って所定の面積で座面部３に固定されている。接着部４２の固定は、縫い合わせ、粘着剤接着、熱圧着等の種々の方法により行うことができる。持ち手部４３は、座面３の辺３２、３２’と対向する接着部４１、４２の端部間距離よりも長く、接着部４１、４２の座面部３との間に、使用者の腕が入るくらいの空間を確保できるような長さに形成されている。なお、把手部４’は、把手部４と構成が同じであるため説明を省略する。
【００２４】
［１−２．作用効果］
以上のような本実施形態の構成に基づいて、折り畳み椅子の作用効果について説明する。
（１）折り畳み椅子の使用方法
本実施形態では、図２にように、第一連結材１２と第二連結材２２が離間した状態が使用状態である。座面部３がピンと張った状態となることにより、第一フレーム１と第二フレーム２が固定保持される。このとき、第一脚材１１の脚材中間部２１２と座面部３とは略平行であり、交差軸の軸方向から折り畳み椅子１００を見ると、座面部３と第一脚材１１と第二脚材２１とに囲まれた略台形の隙間が形成されている。
【００２５】
次に、第一連結材１２と第二連結材２２を持ってお互いに近づけると、第一脚材１１、１１’と第二脚材２１、２１’とが軸Ａ、Ａ’を中心に回動する。これにより、第一脚材１１の脚材上部１１１と第二脚材２１の脚材上部２１１が接近し、また、第一脚材１１の脚材上部１１２と第二脚材２１の脚材下部２１３とが接近する。これらが接近するとともに、座面部３は弛んでいく。そして、図３のように、第一連結材１２と第二連結材２２とが接した状態が収納状態である。座面部３は略Ｕ字に弛んだ状態となっている。図４のように、交差軸の軸方向から折り畳み椅子１００を見ると、第一脚材１１と第二脚材２１とに囲まれた２つの略三角形の隙間が形成されている。また、図５のように、交差軸に直交する方向（正面）から折り畳み椅子１００を見ると、第一脚材１１、１１’の外側に第二脚材２１、２１’が略平行に近接して形成されている。
【００２６】
次に、第一連結材１２と第二連結材２２を持ってお互いを離すと、再び、第一脚材１１、１１’と第二脚材２１、２１’とが軸Ａ、Ａ’を中心に回動する。これにより、第一脚材１１の脚材上部１１１と第二脚材２１の脚材上部２１１が離間し、また、第一脚材１１の脚材下部１１２と第二脚材２１の脚材下部２１３とが離間する。これらが離間するとともに、座面部３は張っていく。
【００２７】
（２）効果
以上のような本実施形態の折り畳み椅子では、収納状態で交差軸の軸方向（側面）から見て、第一脚材と第二脚材の間に隙間が形成されている。すなわち、収納状態で第一脚材と第二脚材とが重ならない。したがって、使用状態にある折り畳み椅子において、子どもが第一脚材と第二脚材の間の隙間に指を入れた場合、そのまま折り畳み椅子が折り畳まれたとしても、収納状態で第一脚材と第二脚材とが重ならないので、指が挟まれることがない。また、成人の場合であっても、使用者が意図しないときに、折り畳み椅子が傾く等といった重心の変化により折り畳まれてしまうことが想定されるが、そのように不意に折り畳まれたとしても、指を挟むことを防止できるため安全性が高い。
【００２８】
本実施形態の折り畳み椅子は、折り畳みが容易であり、上記使用方法のように第一連結材、第二連結材を持ってお互いを近づけなくても、第一脚材の脚材上部と第二脚材の脚材上部を持ってお互いを近づけたとしても、折り畳むことができる。従来のフレーム同士が収納状態で重なるような折り畳み椅子では、第一脚材の脚材上部と第二脚材の脚材上部を持って折り畳み作業を行うと指を挟む可能性があったが、本実施形態の折り畳み椅子では、指が挟まれることがない。本実施形態の折り畳み椅子は、折り畳む際に掴める場所が複数あり、利便性が高い。
【００２９】
本実施形態では、収納状態において、第一連結材と第二連結材とが接している。したがって、嵩張らずに、複数の折り畳み椅子を重ね合わせることができる。また、第一連結材と第二連結材とを同時に掴むことにより、片手で折り畳み椅子を持ち運ぶこともできる。
【００３０】
本実施形態では、交差軸の軸方向（側面）から見て、第一脚材が略直線状に形成され、第二脚材が交差軸を境に２つの屈曲部（上屈曲部、下屈曲部）を有する略Ｓ字状に形成されている。このように、２つのフレームのうち一方のフレームの脚材（第二脚材）を２点屈曲させるのみで、収納状態において第一脚材と第二脚材との間に隙間を創出することができる。フレームの加工が容易であり、経済性に優れている。
【００３１】
また、本実施形態では、第一フレーム、第二フレームはいずれも略コの字型に形成されており、収納状態で交差軸に直交する方向（正面）から見て第一脚材の外側に第二脚材が略平行に近接している。すなわち、交差軸の軸方向の幅は、従来の折り畳み椅子と同様に、一対の第二脚材間距離により決まる。交差軸の軸方向の幅が特別に広がることがないため、省スペースでの収納が可能である。
【００３２】
通常、第一脚材と第二脚材と間に空間を創出させるために、第一脚材と第二脚材との間に軸方向に距離を設けることが考えられるが、本実施形態では第二脚材を２点屈曲させるのみで空間を創出することができるため、軸方向にそのような距離を設ける必要がない。したがって、本実施形態の折り畳み椅子は、通常のカシメ方法で第一脚材と第二脚材とを連結させて組み立てることができる。そのため、特別な組立て技術が必要なく経済性に優れる。また、２つの脚材を連結させるため軸への負荷が小さく、折り畳み椅子の強度が高い。
【００３３】
本実施形態では、座面部の脇に把手部が設けられている。把手部がない場合には、折り畳み椅子を持ち運ぶ際に、第一連結材及び第二連結材を同時に掴む必要があるが、パイプ２本分の厚さは手で掴みづらい場合がある。それに対して、本実施形態では、折り畳み椅子を持ち運ぶ際に、把手部の持ち手を利用することができる。例えば、持ち手を手で掴んで折り畳み椅子を支えたり、持ち手に腕を通して肘の内側で折り畳み椅子を支えたり、持ち手を肩に掛けることができる。両手、両肘の内側、両肩のいずれも使用すれば、多数の折り畳み椅子を一度に持ち運ぶことも可能である。
【００３４】
本実施形態では、把手部に接着部が設けられ、接着部は座面部と所定の面積で接着固定されている。そのため、把手部の強度が高く２つのフレームを持ち上げ支えることができる。
【００３５】
本実施形態の第一フレームは、コの字型の角部がＲ状に形成されており、本実施形態の第二フレームは、コの字型の角部、脚材の上屈曲部及び下屈曲部がＲ状に形成されている。そのため、使用感がよく、美観にも優れている。
【００３６】
本実施形態の第一フレーム及び第二フレームは、先端に略半球の脚キャップが設けられている。そのため、折り畳み椅子の脚を床面上で滑らせながら開脚する際に、スムーズな滑りで開脚させることができる。また、折りたたみ椅子を床面上で滑らせても、第一フレーム及び第二フレームの先端部によって床面を傷つけることがない。
【００３７】
［２．他の実施形態］
本実施形態では、交差軸の軸方向から見て、第一脚材が略直線状に形成され、第二脚材が交差軸を中心とする略Ｓ字状に形成されている例を挙げたが、収納状態で交差軸の軸方向から見て、第一脚材と第二脚材の間に隙間が形成されればよく、第一脚材と第二脚材のいずれも略Ｓ字状に形成されていてもよい。
【００３８】
本実施形態の折り畳み椅子は、座面部を座る所とすれば椅子であるが、物を置くための机として利用してもよい。また、座面部上面の端部に点ファスナー、線ファスナー、面ファスナー等の係止具を設け、座面部が半分に折り畳まれた収納状態で座面部を係止具で閉じることにより、収納袋（鞄）として利用してもよい。
【符号の説明】
【００３９】
１  第一フレーム
２  第二フレーム
３  座面部
４  把手部
１１、１１’  第一脚材
１１Ａ、１１Ａ’  上端部
１１Ｂ、１１Ｂ’  下端部
１２  第一連結材
１３、１３’  第一軸穴
１４、１４’、２４、２４’  脚キャップ
２１、２１’第二脚材
２１Ａ、２１Ａ’  上端部
２１Ｂ、２１Ｂ’  下端部
２２  第二連結材
２３、２３’  第二軸穴
３１、３１’、３２、３２’  辺
３１ａ、３１ａ’  端部
４１、４２、４１’、４２’  接着部
４３、４３’  持ち手
１００  折り畳み椅子
１１１、２１１  脚材上部
１１２、２１３  脚材下部
２１２  脚材中間部
１ａ、１ａ’、２ａ、２ａ’  角部
２１ａ、２１ａ’  上屈曲部
２１ｂ、２１ｂ’  下屈曲部
Ａ、Ａ’  軸
【図１】
2014000255.tif 000003
【図２】
2014000255.tif 000004
【図３】
2014000255.tif 000005
【図４】
2014000255.tif 000006
【図５】
2014000255.tif 000007